(57)【要約】【課題】外光の影響によるコントラスト低下を抑制しつつ、投影画像の輝度を向上できるスクリーンを提供する。【解決手段】スクリーン１は、投影画像を表示する。このスクリーン１は、入射した光を反射させる反射面２１Ａを有する基材２と、反射面２１Ａから突出する突起部３とを備える。突起部３は、スクリーン１の自重が掛かる側を下、その反対側を上とした場合に、下方側に向く第１の外面４と、突起部３の先端に形成された第２の外面８とを備える。第１の外面４及び第２の外面８は、入射した光を反射させる光反射特性を有する。【選択図】図３
2011085778.tif 000002
【特許請求の範囲】
【請求項１】
投影画像を表示するスクリーンであって、
入射した光を反射させる反射面を有する基材と、
前記反射面から突出する突起部とを備え、
前記突起部は、
当該スクリーンの自重が掛かる側を下、その反対側を上とした場合に、
下方側に向く第１の外面と、
前記突起部の先端に形成された第２の外面とを備え、
前記第１の外面及び前記第２の外面は、
入射した光を反射させる光反射特性を有する
ことを特徴とするスクリーン。
【請求項２】
請求項１に記載のスクリーンにおいて、
前記突起部は、
上方側に向く第３の外面を備え、
前記第３の外面は、
入射した光を吸収する光吸収特性を有する
ことを特徴とするスクリーン。
【請求項３】
請求項１または請求項２に記載のスクリーンにおいて、
前記突起部は、
互いに接することなく独立した状態で複数設けられている
ことを特徴とするスクリーン。
【請求項４】
請求項３に記載のスクリーンにおいて、
前記突起部は、
前記第１の外面を１つのみ有し、
前記第１の外面は、
水平面に平行するように構成されている
ことを特徴とするスクリーン。
【請求項５】
請求項４に記載のスクリーンにおいて、
前記突起部は、
入射した光を吸収する光吸収特性を有し、上方側に向く第３の外面を備え、
前記第３の外面は、
前記第１の外面に隣接して配置されている
ことを特徴とするスクリーン。
【発明の詳細な説明】
【技術分野】
【０００１】
本発明は、スクリーンに関する。
【背景技術】
【０００２】
従来、投影画像を表示するスクリーンとして、会議室や学校の教室等の明室環境下において、蛍光灯等からの照明光や窓から室内に入り込む光等の外光の影響による投影画像のコントラスト低下を抑制する種々のスクリーンが提案されている（例えば、特許文献１参照）。
特許文献１に記載のスクリーンは、表面に多数の凹部が規則的に形成されている。また、このスクリーンは、凹部の底部分に光を反射させる処理が施されているとともに、凹部間の壁部の表面に反射低減処理が施されている。
以上の構成により、スクリーンに入射する外光は、凹部間の壁部により遮られ、凹部の底部分に入射することが抑制されるとともに、凹部間の壁部の表面にて反射されることも抑制される。すなわち、外光は、観察者のいる視認側に反射されることが抑制される。
一方、スクリーンに対して略垂直方向に設置されたプロジェクターからの画像光は、各凹部の底部分にて反射されることで、視認側に向い、観察者にて投影画像として認識される。
【先行技術文献】
【特許文献】
【０００３】
【特許文献１】特開平５−３３３４３４号公報
【発明の概要】
【発明が解決しようとする課題】
【０００４】
しかしながら、特許文献１に記載のスクリーンでは、例えば、スクリーンに対して斜め下方にプロジェクターが設置され、斜め下方から画像光がスクリーンに投射される場合に、以下の問題が生じることとなる。
すなわち、プロジェクターにて斜め下方から投射された画像光は、外光と同様に、凹部間の壁部により遮られ、凹部の底部分に入射することが抑制されるとともに、凹部間の壁部の表面にて反射されることも抑制される。すなわち、スクリーンにて反射され、視認側に向う画像光の光量が低減し、投影画像の輝度が低下してしまう。
【０００５】
本発明の目的は、外光の影響による投影画像のコントラスト低下を抑制しつつ、投影画像の輝度を向上できるスクリーンを提供することにある。
【課題を解決するための手段】
【０００６】
本発明のスクリーンは、投影画像を表示するスクリーンであって、入射した光を反射させる反射面を有する基材と、前記反射面から突出する突起部とを備え、前記突起部は、当該スクリーンの自重が掛かる側を下、その反対側を上とした場合に、下方側に向く第１の外面と、前記突起部の先端に形成された第２の外面とを備え、前記第１の外面及び前記第２の外面は、入射した光を反射させる光反射特性を有することを特徴とする。
ここで、第１の外面としては、下方側に向く外面であればよく、水平面に対して平行した面の他、水平面に対して傾斜し、斜め下方側に向く面であっても構わない。
【０００７】
本発明では、スクリーンは、下方側に向く第１の外面、及び先端に形成された第２の外面が光反射特性を有する突起部を備える。
このことにより、スクリーンに対して斜め上方から入射する外光は、突起部により遮られ、反射面に入射することが抑制される。すなわち、外光は、観察者のいる視認側に反射されることが抑制される。
一方、スクリーンに対して斜め下方に設置されたプロジェクターからの画像光は、突起部により遮られることなく、反射面、第１の外面、及び第２の外面にて反射されることで、視認側に向い、観察者に投影画像として認識される。
したがって、会議室や学校の教室等の明室環境下において、外光の影響による投影画像のコントラスト低下を抑制しつつ、スクリーンにて反射され、視認側に向う画像光の光量を増加でき、投影画像の輝度を向上できる。
また、プロジェクターからの画像光は、外光が突起部により遮られることで影となる部分（反射面、第１の外面）に入射し、反射されるので、投影画像を鮮鋭な画像とすることができる。
【０００８】
ところで、従来のスクリーンでは、スクリーンの法線に対してある角度以上から投影画像を観察する場合には、凹部間の壁部の表面にて画像光の反射が抑制されているとともに、凹部の底部分にて反射された画像光が凹部間の壁部に遮られて観察者に届かない。すなわち、従来のスクリーンでは、視野角の狭いものとなる。
これに対して、本発明では、突起部の先端に形成された第２の外面が光反射特性を有し、画像光の一部が第２の外面にて反射されるため、上記ある角度以上からでも投影画像を観察することができ、視野角を向上させることができる。
【０００９】
ところで、従来のスクリーンでは、多数の凹部が一定の間隔で規則的に形成されている。このため、反射低減処理が施された凹部間の壁部の表面構造（格子構造）と、プロジェクターに用いられる液晶パネル等の光変調素子の画素構造（画素を仕切るブラックマトリクスの格子構造）とによる光の干渉が生じ、投影画像にスジ状の干渉縞（モアレ）が発生してしまう。
これに対して、本発明では、突起部の先端に形成された第２の外面に光反射特性を持たせ、反射面と第２の外面との輝度差を小さくしている。このため、従来と同様に突起部を平面視で格子状に形成した場合であっても、突起部における第２の外面の平面構造と、プロジェクターに用いられる光変調素子の画素構造とによる光の干渉を抑制でき、投影画像にモアレが発生することを抑制できる。
【００１０】
本発明のスクリーンでは、前記突起部は、上方側に向く第３の外面を備え、前記第３の外面は、入射した光を吸収する光吸収特性を有することが好ましい。
ここで、第３の外面としては、上方側に向く外面であればよく、水平面に対して平行した面の他、水平面に対して傾斜し、斜め上方側に向く面であっても構わない。
本発明では、突起部における上方側に向く第３の外面が光吸収特性を有しているため、スクリーンに入射した外光を突起部にて遮るとともに、突起部に入射した外光を第３の外面に吸収させることができる。このため、スクリーンを介して視認側に向う外光の光量をより一層低減でき、投影画像のコントラスト低下をより一層抑制できる。
【００１１】
本発明のスクリーンでは、前記突起部は、互いに接することなく独立した状態で複数設けられていることが好ましい。
本発明では、突起部が上述した状態で複数設けられているので、複数の突起部における各第３の外面の平面構造と、プロジェクターに用いられる光変調素子の画素構造とを異なるものとすることができる。このため、光の干渉が起こり難くなり、投影画像にモアレが発生することをさらに抑制できる。
【００１２】
本発明のスクリーンでは、前記突起部は、前記第１の外面を１つのみ有し、前記第１の外面は、水平面に平行するように構成されていることが好ましい。
ところで、第１の外面が水平面に対して傾斜し、斜め左下方側あるいは斜め右下方側に向く面であった場合には、スクリーンに対して側方から入射する外光（例えば、窓から室内に入り込む光等）の一部は、第１の外面にて反射し、反射面を介して視認側に向うこととなる。すなわち、スクリーンを介して視認側に向う外光の光量を低減することが難しく、投影画像のコントラスト低下を抑制することが難しい。
これに対して、本発明では、突起部は、水平面に平行する第１の外面を１つのみ有する。
このことにより、スクリーンに対して側方から入射する外光の一部が第１の外面にて反射することを抑制でき、例えば、他の突起部の上述した第３の外面等に入射させることができる。すなわち、スクリーンを介して視認側に向う外光の光量を低減でき、投影画像のコントラスト低下をさらに抑制できる。
【００１３】
本発明のスクリーンでは、前記突起部は、入射した光を吸収する光吸収特性を有し、上方側に向く第３の外面を備え、前記第３の外面は、前記第１の外面に隣接して配置されていることが好ましい。
ところで、突起部において、水平面に平行する第１の外面に隣接して配置される外面が、例えば、第１の外面に対して直交する面（以下、直交面）で構成されていた場合には、以下の問題が生じる。
例えば、直交面に光反射特性を持たせた場合には、上記同様に、スクリーンに対して側方から入射する外光の一部が直交面にて反射し、反射面を介して視認側に向うため、投影画像のコントラスト低下を抑制することが難しい。
また、例えば、直交面に光吸収特性を持たせた場合には、複数の突起部のうちスクリーンの左右両側に設けられた突起部（画像光の入射角が大きい位置に配置された突起部）において、プロジェクターからの画像光の一部は、直交面に入射して吸収されてしまう。すなわち、スクリーンにて反射される画像光の光量が低減し、投影画像の輝度を向上させることが難しい。
【００１４】
本発明では、光吸収特性を有する第３の外面は、水平面に平行する第１の外面に隣接して配置されている。すなわち、第１の外面に隣接して配置される外面は、第１の外面に対して鋭角を成す第３の外面で構成されている。
このことにより、スクリーンに対して側方から入射する外光の一部は、第３の外面にて吸収されることとなり、反射されることがない。このため、スクリーンを介して視認側に向う外光の光量を低減でき、投影画像のコントラスト低下を抑制できる。
また、水平面に平行する第１の外面に対して第３の外面が鋭角を成しているため、複数の突起部のうちスクリーンの左右両側に設けられた突起部においても、プロジェクターからの画像光の一部は、第３の外面にて遮られることがなく、反射面あるいは他の突起部の第１の外面にて反射され、視認側に向うこととなる。すなわち、スクリーンにて反射される画像光の光量を増加させることができ、投影画像の輝度をより向上させることができる。
【図面の簡単な説明】
【００１５】
【図１】第１実施形態におけるスクリーンの使用状態を模式的に示す図。
【図２】第１実施形態におけるスクリーンの構成を模式的に示す図。
【図３】第１実施形態におけるスクリーンの構成を模式的に示す図。
【図４】第２実施形態におけるスクリーンの構成を模式的に示す図。
【図５】第１実施形態の変形例を示す図。
【図６】第２実施形態の変形例を示す図。
【発明を実施するための形態】
【００１６】
[第１実施形態]
以下、本発明の第１実施形態を図面に基づいて説明する。
〔スクリーンの構成〕
図１は、第１実施形態におけるスクリーン１の使用状態を模式的に示す図である。
図２及び図３は、スクリーン１の構成を模式的に示す図である。具体的に、図２はスクリーン１の前面側の構成を上方側から見た斜視図であり、図３はスクリーン１の縦断面図である。
なお、以下では、説明の便宜上、スクリーン１において、プロジェクターＰＪが設置される側を「前面側」、前面側の反対側を「背面側」、当該スクリーン１の自重が掛かる側を「下」、その反対側を「上」として記載する。
スクリーン１は、横長矩形状の反射型スクリーンで構成され、図１に示すように、斜め下方に配設された近接投射型のプロジェクターＰＪからの画像光を反射させ、投影画像を表示する。
【００１７】
このスクリーン１は、図２または図３に示すように、背面側に配設される基材２と、基材２の前面側に設けられた突起部３とを備える。
基材２は、横長矩形状の板体で構成されている。
この基材２において、一方の板面２Ａ（図３）には、図２または図３に示すように、入射した光を反射させるとともに、反射光を拡散させる第１の反射層２１が形成されている。
すなわち、第１の反射層２１の表面が本発明に係る反射面２１Ａに相当する。
なお、第１の反射層２１としては、一般的な反射型スクリーンで用いられる反射層の構成を採用でき、例えば、白色の樹脂層、あるいは、アルミニウム、チタン、ニッケル等の金属膜等を採用できる。また、反射光を拡散させる効果を持たせるために、金属膜等の表面に微細な凹凸を形成した構成や、金属膜等に例えばアルミナ、シリカ、その他の無機粒子を含んだ光拡散層を形成した構成を採用しても構わない。
【００１８】
突起部３は、図２または図３に示すように、反射面２１Ａから法線方向に突出した部分である。そして、この突起部３は、前面側から見て、左右方向に延び上下方向に並設された複数の横壁３Ｈと、上下方向に延び左右方向に並設された複数の縦壁３Ｖとを備え、これら各壁３Ｈ，３Ｖが互いに交差した格子状に形成されている。
なお、本実施形態では、複数の横壁３Ｈの配設ピッチ、及び複数の縦壁３Ｖの配設ピッチは、数１００μｍ程度に設定されている。さらに、複数の横壁３Ｈ及び複数の縦壁３Ｖの高さ寸法は、同一に設定され、数１００μｍ程度に設定されている。
各横壁３Ｈにおいて、下方側に向く（法線方向が下方側に向く）第１の外面としての下面４には、図３に示すように、入射した光束を拡散させて反射する第２の反射層４１が形成されている。
【００１９】
また、各横壁３Ｈにおいて、上方側に向く（法線方向が上方側に向く）第３の外面としての上面５には、図３に示すように、入射した光を吸収する第１の光吸収層５１が形成されている。
なお、第１の光吸収層５１としては、例えば、黒色塗料あるいは黒色染料を含んだ樹脂層等が例示できる。
さらに、各縦壁３Ｖにおいて、左右方向にそれぞれ向く（法線方向が左右方向にそれぞれ向く）左側面６及び右側面７には、図２または図３に示すように、入射した光を吸収する第２の光吸収層６１，７１が形成されている。
なお、第２の光吸収層６１，７１としては、第１の光吸収層５１と同様の材料で構成してもよく、あるいは、異なる材料で構成しても構わない。
【００２０】
また、突起部３の先端に形成された第２の外面としての先端面８は、基材２の板面２Ａに平行する平坦状に形成されている。そして、先端面８には、図３に示すように、入射した光を拡散させて反射する第３の反射層８１が形成されている。
なお、第２，第３の反射層４１，８１としては、入射した光を拡散させて反射する材料であれば、第１の反射層２１と同様の材料で構成してもよく、あるいは、異なる材料で構成しても構わない。
【００２１】
そして、プロジェクターＰＪにて斜め下方から投射された画像光Ｌ１（図３）は、上述したスクリーン１にて以下に示すように反射されることとなる。
すなわち、第１の反射層２１に入射した画像光Ｌ１は、第１の反射層２１にて反射され、さらに、第２の反射層４１にて反射される。また、第２の反射層４１に入射した画像光Ｌ１は、第２の反射層４１にて反射され、さらに、第１の反射層２１にて反射される。さらに、第３の反射層８１に入射した画像光Ｌ１は、第３の反射層８１にて反射される。
そして、上述したように第１〜第３の反射層２１，４１，８１にて反射された画像光Ｌ１は、観察者のいる視認側（プロジェクターＰＪが設置された側）に向い、観察者にて投影画像として認識される。
【００２２】
一方、画像光Ｌ１以外の光、例えば、天井等に設置された蛍光灯等から照明される光、あるいは、窓から室内に入り込んだ光等の外光Ｌ２（図３）は、上述したスクリーン１にて以下に示すように吸収されることとなる。
すなわち、蛍光灯等から照明される外光Ｌ２は、主に上方側からスクリーン１に向うため、図３に示すように、複数の横壁３Ｈにて遮断されるとともに、第１の光吸収層５１にて吸収される。
また、具体的な図示は省略したが、窓から室内に入り込んだ外光Ｌ２は、主に左右側方からスクリーン１に向うため、複数の縦壁３Ｖにて遮断されるとともに、第２の光吸収層６１，７１にて吸収される。
【００２３】
上述した第１実施形態によれば、以下の効果がある。
本実施形態では、スクリーン１は、下方側に向く下面４、及び先端に形成された先端面８が光反射特性を有する突起部３を備える。
このことにより、外光Ｌ２は、突起部３により遮られ、反射面２１Ａに入射することが抑制される。すなわち、外光Ｌ２は、観察者のいる視認側に反射されることが抑制される。
一方、スクリーン１に対して斜め下方に設置されたプロジェクターＰＪからの画像光Ｌ１は、突起部３により遮られることなく、反射面２１Ａ、下面４（第２の反射層４１）、及び先端面８（第３の反射層８１）にて反射されることで、視認側に向い、観察者に投影画像として認識される。
したがって、会議室や学校の教室等の明室環境下において、外光Ｌ２の影響による投影画像のコントラスト低下を抑制しつつ、スクリーン１にて反射され、視認側に向う画像光Ｌ１の光量を増加でき、投影画像の輝度を向上できる。
また、画像光Ｌ１は、外光Ｌ２が突起部３により遮られることで影となる部分（反射面２１Ａ、下面４）に入射し、反射されるので、投影画像を鮮鋭な画像とすることができる。
そして、上述したように投影画像の輝度を向上できるため、投影画像の輝度を向上させるためにプロジェクターＰＪ側で光源の消費電力を向上させる必要がなく、プロジェクターＰＪの省電力化も図れる。
【００２４】
また、突起部３の先端に形成された先端面８が光反射特性を有し、画像光Ｌ１の一部が先端面８（第３の反射層８１）にて反射されるため、スクリーン１の法線に対して比較的に大きい角度からでも投影画像を観察することができ、視野角を向上させることができる。
さらに、突起部３の先端に形成された先端面８に光反射特性を持たせ、反射面２１Ａと先端面８（第３の反射層８１）との輝度差を小さくしている。このため、従来と同様に突起部３を平面視で格子状に形成した場合であっても、突起部３における先端面８（第３の反射層８１）の平面構造と、プロジェクターＰＪに用いられる液晶パネル等の光変調素子の画素構造（画素を仕切るブラックマトリクスの格子構造）とによる光の干渉を抑制でき、投影画像にモアレが発生することを抑制できる。
【００２５】
また、突起部３における上面５、左側面６、及び右側面７が光吸収特性を有しているため、外光Ｌ２を突起部３にて遮るとともに、突起部３に入射した外光Ｌ２を上記各面５〜７（各光吸収層５１，６１，７１）に吸収させることができる。このため、スクリーン１を介して視認側に向う外光Ｌ２の光量をより一層低減でき、投影画像のコントラスト低下をより一層抑制できる。
【００２６】
[第２実施形態]
次に、本発明の第２実施形態を図面に基づいて説明する。
以下の説明では、前記第１実施形態と同様の構造及び同一部材には同一符号を付して、その詳細な説明は省略または簡略化する。
図４は、第２実施形態におけるスクリーン１の構成を模式的に示す図である。具体的に、図４は、スクリーン１の前面側の構成を上方側から見た斜視図である。
本実施形態は、前記第１実施形態に対して、図４に示すように、突起部３を互いに接することなく独立した状態で複数設けた点が異なるのみである。その他の構成は、前記第１実施形態と同様の構成である。
【００２７】
第２実施形態における複数の突起部３は、全て同一の形状を有し、図４に示すように、板面２Ａに平行する面で切断した断面形状が直角二等辺三角形となり、反射面２１Ａから法線方向に延びる三角柱形状を有している。
すなわち、突起部３は、図４に示すように、断面直角二等辺三角形状の斜辺に対応する第１の外面としての下面４と、三角柱形状の底面に対応する第２の外面としての先端面８と、断面直角三角形状の他の２辺に対応する第３の外面としての第１，第２の上面５Ａ，５Ｂとで外面が構成されている。
そして、突起部３は、図４に示すように、下面４が下方側に向き、かつ水平面に平行するように設けられている。
すなわち、第１の上面５Ａは、図４に示すように、前面側から見て平面視で、斜め左上方側を向くこととなる。また、第２の上面５Ｂは、斜め右上方側を向くこととなる。さらに、先端面８は、前記第１実施形態と同様に、板面２Ａに平行する平坦状に形成されている。
【００２８】
また、下面４及び先端面８には、前記第１実施形態と同様に、第２の反射層４１及び第３の反射層８１が形成されている。
さらに、第１，第２の上面５Ａ，５Ｂには、前記第１実施形態と同様に、第１の光吸収層５１が形成されている。
そして、複数の突起部３は、図４に示すように、水平方向に所定のピッチで配設される。また、複数の突起部３は、水平方向に配設された複数の突起部３の一群と、当該一群に隣接する他の一群とは、図４に示すように、前記ピッチの１／２だけずれた状態で配設されている。すなわち、複数の突起部３は、千鳥状に配設されている。
なお、本実施形態では、複数の突起部３の水平方向の配設ピッチ、水平方向に配設される複数の突起部３の一群と当該一群に隣接する他の一群との間隔、及び複数の突起部３の高さ寸法は、数１００μｍ程度に設定されている。
【００２９】
そして、プロジェクターＰＪにて斜め下方から投射された画像光Ｌ１は、具体的な図示は省略したが、前記第１実施形態と同様に、第１〜第３の反射層２１，４１，８１に入射して反射され、視認側に向い、観察者にて投影画像として認識される。
一方、画像光Ｌ１以外の外光Ｌ２は、複数の突起部３にて遮断されるとともに、第１の光吸収層５１にて吸収される。
【００３０】
上述した第２実施形態によれば、前記第１実施形態と同様の効果の他、以下の効果がある。
本実施形態では、突起部３が互いに接することなく独立した状態で複数設けられているので、複数の突起部３における各先端面８（各第３の反射層８１）の平面構造と、プロジェクターＰＪに用いられる液晶パネル等の光変調素子の画素構造とを異なるものとすることができる。このため、光の干渉が起こり難くなり、投影画像にモアレが発生することをさらに抑制できる。
【００３１】
また、突起部３は、水平面に平行する下面４を１つのみ有する。
このことにより、スクリーン１に対して側方から入射する外光Ｌ２の一部が下面４にて反射することを抑制でき、他の突起部３の第１、第２の上面５Ａ，５Ｂに入射させることができる。すなわち、スクリーン１を介して視認側に向う外光Ｌ２の光量を低減でき、投影画像のコントラスト低下をさらに抑制できる。
さらに、光吸収特性を有する第１，第２の上面５Ａ，５Ｂは、水平面に平行する下面４に隣接して配置されている。すなわち、下面４に隣接して配置される外面は、下面４に対して鋭角を成す第１，第２の上面５Ａ，５Ｂで構成されている。
このことにより、スクリーン１に対して側方から入射する外光Ｌ２の一部は、第１、第２の上面５Ａ，５Ｂ（第１の光吸収層５１）にて吸収されることとなり、反射されることがない。このため、スクリーン１を介して視認側に向う外光Ｌ２の光量を低減でき、投影画像のコントラスト低下を抑制できる。
【００３２】
また、水平面に平行する下面４に対して第１，第２の上面５Ａ，５Ｂが鋭角を成しているため、複数の突起部３のうちスクリーン１の左右両側に設けられた突起部３（画像光Ｌ１の入射角が大きい位置に配置された突起部３）においても、プロジェクターＰＪからの画像光Ｌ１の一部は、第１，第２の上面５Ａ，５Ｂにて遮られることがなく、反射面２１Ａあるいは他の突起部３の下面４にて反射され、視認側に向うこととなる。すなわち、スクリーン１にて反射される画像光Ｌ１の光量を増加させることができ、投影画像の輝度をより向上させることができる。
【００３３】
なお、本発明は前述の実施形態に限定されるものではなく、本発明の目的を達成できる範囲での変形、改良等は本発明に含まれるものである。
図５は、前記第１実施形態の変形例を示す図である。具体的に、図５は、スクリーン１の前面側の構成を上方側から見た斜視図である。
前記第１実施形態では、突起部３は、複数の横壁３Ｈ及び複数の縦壁３Ｖがそれぞれ水平方向及び鉛直方向に延び、平面視で格子状に形成されていたが、これに限らず、図５に示す形状を採用しても構わない。
図５に示す突起部３は、複数の横壁３Ｈ及び複数の縦壁３Ｖがそれぞれ水平方向及び鉛直方向に対して交差する方向に延び、横壁３Ｈ及び縦壁３Ｖにて構成される単位構造が平面視で菱形形状を有する。
そして、このように突起部３を形成した場合には、前記第１実施形態で説明した突起部３に対して、左側面６及び右側面７が省略され、光反射特性を有する下面４及び先端面８と、光吸収特性を有する上面５のみが形成されることとなる。
【００３４】
また、前記第１実施形態及び図５に示す例では、複数の横壁３Ｈの配設ピッチは、全て同一に設定されていたが、これに限らず、全て異なるように設定してもよく、領域毎に段階的に異なるように設定してもよい。複数の縦壁３Ｖの配設ピッチも同様である。
【００３５】
図６は、前記第２実施形態の変形例を示す図である。具体的に、図６は、スクリーン１に設けられた１つの突起部３のみを上方側から見た斜視図である。
前記第２実施形態では、突起部３は、断面直角二等辺三角形状を有する三角柱状に構成されていたが、これに限らず、図６に示す形状を採用しても構わない。
図６（Ａ）に示す突起部３は、水平面に平行した下面４及び上面５と、下面４及び上面５に直交する左側面６及び右側面７と、先端面８とを有する四角柱状に構成されている。
そして、このように突起部３を構成した場合には、下面４及び先端面８に光反射特性を持たせ、上面５、左側面６及び右側面７に光吸収特性を持たせる。
【００３６】
また、図６（Ｂ）に示す突起部３は、断面楕円形状を有する略円柱状に構成されている。
そして、このように突起部３を構成した場合には、略円柱状の外周を上下の２つの領域に区画し、下方側に位置する下面４に光反射特性を持たせ、上方側に位置する上面５に光吸収特性を持たせる。また、先端に形成された先端面８にも光反射特性を持たせる。
【００３７】
さらに、図６（Ｃ）に示す突起部３は、図６（Ｂ）に示す突起部３を上下に２分割し、下方側の部位が省略された構成を有する。
そして、このように突起部３を構成した場合には、図６（Ｂ）に示す突起部３と同様に上面５に光吸収特性を持たせ、先端面８に光反射特性を持たせるとともに、水平面に平行する下面４に光反射特性を持たせる。
【００３８】
また、図６（Ｄ）に示す突起部３は、上底が下底よりも短い断面等脚台形形状を有する柱状に構成されている。
そして、このように突起部３を構成した場合には、水平面に平行し上方側に向く上面５、前面側から見て斜め左上方側及び斜め右上方側にそれぞれ向く第１，第２の上面５Ａ，５Ｂに光吸収特性を持たせ、水平面に平行し下方側に向く下面４、及び先端に形成された先端面８に光反射特性を持たせる。
【００３９】
前記第２実施形態において、突起部３の形状としては、水平面に平行する下面４を有し、下面４と第１，第２の上面５Ａ，５Ｂとが鋭角を成すように構成されていればよく、前記第１実施形態で説明した形状に限らない。図６（Ｄ）に示す突起部３も同様である。
前記第２実施形態では、各突起部３の水平方向の配設ピッチは、全て同一に設定されていたが、これに限らず、全て異なるように設定してもよく、領域毎に段階的に異なるように設定してもよい。水平方向に配設された複数の突起部３の一群と当該一群に隣接する他の一群との間隔も同様である。なお、図６に示す例を採用する場合でも同様である。
前記第２実施形態では、複数の突起部３は、全て同一の形状で構成されていたが、これに限らず、全て異なるように構成してもよく、領域毎に異なるように構成してもよい。なお、図６に示す例を採用する場合でも同様である。
【００４０】
前記各実施形態では、各面５，５Ａ，５Ｂ，６，７に光吸収特性を持たせる際、光吸収層５１，６１，７１を形成していたが、これに限らず、光吸収特性を有する材料で突起部３を構成し、各面５，５Ａ，５Ｂ，６，７自体に光吸収特性を持たせた構成（光吸収層５１，６１，７１を省略した構成）としても構わない。
【産業上の利用可能性】
【００４１】
本発明は、投影画像を表示するスクリーンに利用できる。
【符号の説明】
【００４２】
１・・・スクリーン、２・・・基材、３・・・突起部、４・・・下面（第１の外面）、５，５Ａ，５Ｂ・・・上面（第３の外面）、８・・・先端面（第２の外面）、２１Ａ・・・反射面。
【図１】
2011085778.tif 000003
【図２】
2011085778.tif 000004
【図３】
2011085778.tif 000005
【図４】
2011085778.tif 000006
【図５】
2011085778.tif 000007
【図６】
2011085778.tif 000008